(57)【要約】      （修正有）【課題】使用の際は収納箱を展開して、箱のように物品を貯蔵でき、使わない時に収納箱を板のように折り畳んで空間を節約して、空間の利用率をアップする収納箱を提供する。【解決手段】底板１と底板の辺縁部にある側板２で組成され、その側板は二つの等しいサイズの長側板２１と二つの等しいサイズの短側板２２で組成され、側板の頂部に枠組みが設けられ、長側板は回動可能な長側板Ｉと長側板ＩＩで組成され、回動可能な長側板Ｉと長側板ＩＩは折り畳まれるように接合させる。上述の長側板Ｉの上側は枠組みと回動できるように接合させ、長側板ＩＩの下側は底板１と回動できるように接合させる。上記の短側板の上側は枠組みと回動できるように接合させ、短側板２２の下側と底板１の間に尾錠構造Ｉがあって、短側板２２を回動しないように制限する。【選択図】図１
0003163745.tif 000002
【実用新案登録請求の範囲】
【請求項１】
折り畳み収納箱であって、底板（１）と底板の辺縁部にある側板（２）で組成され、その側板は二つの等しいサイズの長側板（２１）と二つの等しいサイズの短側板（２２）を含み、側板の頂部に枠組み（３）が設けられ、長側板が回動可能な長側板Ｉ（２１１）と長側板ＩＩ（２１２）を含む、回動可能な長側板Ｉと長側板ＩＩは折り畳まれるように接合され、長側板Ｉの上側は枠組みと回動できるように接合させ、長側板ＩＩの下側は底板と回動できるように接合させ、上記の短側板の上側は枠組みと回動できるように接合させ、短側板の下側と底板の間に尾錠構造Ｉがあって、短側板を回動しないように制限することを特徴とする折り畳み収納箱。
【請求項２】
請求項１記載の折り畳み収納箱において、その特徴は、上述の長側板に窓構造Ｉが設けられ、この窓構造Ｉは、長側板Ｉにある窓Ｉ（４１）、回転できるように長側板Ｉに接合している活動板Ｉ（４２）、この二つの部品で組成され、活動板Ｉを利用して窓Ｉの開閉を実現する、活動板Ｉと長側板Ｉの間に活動板を長側板Ｉに固定するロック装置が設けられることを特徴とする折り畳み収納箱。
【請求項３】
請求項２記載の折り畳み収納箱において、その特徴は、上述ロック装置が活動板Ｉにあるロック部（４３）と長側板Ｉにある、かつロック部を定位する限定溝（４４）を含む、活動板Ｉにロック部を取り付けるための取り付け溝（４５）が設けられ、ロック部はこの取付け溝で水平に滑ることができ、ロック部の頂部に限定溝に対応する限定塊（４６）があり、また限定溝に離脱口（４７）があるので、その限定塊が活動板Ｉと一緒に限定溝で水平移動するとその離脱口から限定溝を離れることを特徴とする折り畳み収納箱。
【請求項４】
請求項３記載の折り畳み収納箱において、その特徴は、上述の取り付け溝とロック部の間にロック部を水平移動の限定位置に定位する定位構造が設けられ、上述の定位構造がロック部にある定位突起部（４８）と取り付け溝の壁にある、かつ定位突起部に対応する定位穴（４９）を含み、定位する時に定位突起部が定位穴に押し込まれ、定位穴がロック部を水平移動の左側の限定位置に定位する定位穴Ｉ（４８１）とロック部を水平移動の右側の限定位置に定位する定位穴ＩＩ（４８２）、定位穴Ｉと定位穴ＩＩの間の取付け溝の内壁に定位突起部をガイドするガイド溝（４５１）が設けられることを特徴とする折り畳み収納箱。
【請求項５】
請求項３記載の折り畳み収納箱において、その特徴は、上述活動板Ｉとロック部の間にロック部を水平移動することをガイドする、並びにロック部を水平移動する左右限定位置を限定する補助構造が設けられ、上述補助構造が活動板Ｉにあるガイド溝（４２１）とロック部にあって、ガイド溝と対応して、ガイド溝で水平移動するガイド突起部（４２２）を含み、ロック部を左側の限定位置までに移動すると、ガイド突起部がガイド溝の左側に押さえられ、ロック部を右側の限定位置までに移動すると、ガイド突起部がガイド溝の右側に押さえられることを特徴とする折り畳み収納箱。
【請求項６】
請求項２記載の折り畳み収納箱において、その特徴は、上述の活動板Ｉに弾性限位装置Ｉが設けられ、長側板Ｉに限位構造Ｉが設けられ、この限位構造Ｉは弾性限位装置Ｉと合致して活動板Ｉを長側板Ｉに固定する、上述の弾性限位装置Ｉが活動板Ｉの側面にある活動塊Ｉ（５１）を含み、活動板Ｉに活動塊Ｉを取り付ける滑り溝Ｉ（５２）があり、活動塊Ｉを滑り溝Ｉに上下移動させ、活動板Ｉの先端に限位塊Ｉ（５３）がある、限位塊Ｉを滑り溝Ｉの前側を通じて長側板Ｉにある限位構造Ｉと合致して押え、活動板Ｉの下側と滑り溝Ｉの下側の間に活動板Ｉを上向きに押える弾性部品Ｉ（５４）があり、上述の限位構造Ｉは長側板Ｉにある、かつ限位塊Ｉと対応する限位溝Ｉ（６１）を含み、限位溝Ｉの下側に欠け口Ｉ（６２）がある、限位塊Ｉが活動板Ｉと一緒に上下移動する時に、限位塊Ｉが限位溝Ｉで滑って、欠け口Ｉから限位溝Ｉの限位を離れ、限位溝Ｉの外表面（６１１）と欠け口Ｉの上側面（６２２）の間にガイド面Ｉ（６３）があり、上述の活動板Ｉと滑り溝Ｉの間に活動板Ｉの水平移動を制限する制限構造Ｉ（７）が設けられ、この制限構造Ｉは、活動板Ｉの裏面にある尾錠Ｉ（７１）、滑り溝Ｉの底面にある押え溝Ｉ（７２）、活動板Ｉの後端部にあるリブＩ（７３）、滑り溝Ｉの後端部にあるリブＩＩ（７４）、この四つの部品で組成され、尾錠Ｉが押さえ溝Ｉで上下移動することが可能、リブＩがリブＩＩと滑り溝１の底面の間に挿入させて、かつ上下移動も可能であることを特徴とする折り畳み収納箱。
【請求項７】
請求項１記載の折り畳み収納箱において、上述の短側板に窓構造ＩＩが設けられ、上述窓構造ＩＩが短側板にある窓ＩＩ（８１）、また回動できるように短側板と接合する活動板ＩＩ（８２）を含み、活動板ＩＩを利用して窓の開閉を実現し、上述活動板ＩＩに弾性限位装置ＩＩが設けられ、短側板ＩＩに限位構造ＩＩが設けられ、この限位構造ＩＩは弾性限位装置ＩＩと合致して活動板ＩＩを短側板に固定し、上述弾性限位装置ＩＩは活動板ＩＩの側にある活動塊ＩＩ（８３）を含む、活動板ＩＩに活動塊ＩＩを取り付けるための滑り溝ＩＩ（８４）がある、活動塊ＩＩは滑り溝ＩＩに上下移動し、活動板ＩＩの先端に限定塊ＩＩ（８５）がある、限定塊ＩＩは滑り溝ＩＩの先端を通じて短側板にある限位構造ＩＩと合致して押えられ、活動塊ＩＩの下側と滑り溝ＩＩの下側の間に活動板ＩＩを上向きに押える弾性部品ＩＩがある、上述の限位構造ＩＩが短側板にある、かつ限位塊ＩＩと対応する限位溝ＩＩ（８７）を含み、限位溝ＩＩの下側に欠け口ＩＩ（８８）がある、限位塊ＩＩを活動板ＩＩと一緒に上下移動する時に、限位塊ＩＩが限位溝ＩＩで滑って、欠け口ＩＩから限位溝ＩＩの限位を離れ、限位溝ＩＩの外表面（８７１）と欠け口ＩＩ（８８１）の上側の間にガイド面ＩＩ（８９）がある、上述の活動板ＩＩと滑り溝ＩＩの間に活動板ＩＩの水平移動を制限する制限構造ＩＩが設けられ、この制限構造ＩＩは、活動板ＩＩの裏面にある尾錠ＩＩ（８３１）、滑り溝ＩＩの底面にある押え溝ＩＩ（８４１）、活動塊ＩＩの後ろ側にあるリブＩＩＩ（８３２）、滑り溝Ｉの後ろ側にあるリブＩＶ（８４２）、この四つの部品で組成され、尾錠ＩＩを押さえ溝ＩＩで上下移動することが可能で、リブＩＩＩがリブＩＶと滑り溝ＩＩの底面の間に挿入させて、かつ上下移動も可能であることを特徴とする折り畳み収納箱。
【請求項８】
請求項１と７記載の折り畳み収納箱において、上述の尾錠構造Ｉが短側板の下側にある貫通孔Ｉ（２２１）と底板にあり、かつ貫通孔Ｉと対応する尾錠（２２２）ＩＩの二つの部品で組成され、尾錠ＩＩが貫通孔Ｉを通じて短側板の内側に押えられ、そして、短側板の下側を固定することを特徴とする折り畳み収納箱。
【請求項９】
折り畳み収納箱を提供し、その特徴は、底板（１）と底板の辺縁部にある側板（２）で組成され、その側板は二つの等しいサイズの長側板（２１）と二つの等しいサイズの短側板（２２）を含み、その特徴として、側板の頂部に枠組み（３）が設けられ、長側板が回動可能な長側板Ｉ（２１１）と長側板ＩＩ（２１２）を含み、回動可能な長側板Ｉと長側板ＩＩは折り畳まれるように接合させ、長側板Ｉの上側は枠組みと回動できるように接合させ、長側板ＩＩの下側は底板と回動できるように接合させ、上記の短側板の上側は枠組みと回動できるように接合させ、短側板の下側と底板の間に尾錠構造Ｉがあって、短側板を回動しないように制限する、折り畳み収納箱。
【請求項１０】
請求項９記載の折り畳み収納箱において、その特徴は、上述の尾錠構造ＩＩは、短側板の下側にある貫通孔ＩＩと底板にあり、かつ貫通孔ＩＩと対応する尾錠ＩＩＩの二つの部品で組成され、尾錠ＩＩＩが貫通孔Ｉを通じて短側板の内側に押えられ、そして、短側板の上側を固定することを特徴とする折り畳み収納箱。
【考案の詳細な説明】
【技術分野】
【０００１】
本考案は折り畳み式収納箱に係り、特に折り畳んで収納できる保存箱に関する。
【背景技術】
【０００２】
空間が足りなくなると、人々は収納箱を選ぶ時に空間が変えられる箱を選びことが多い。物品を収納する時に箱を展開することができ、また使わない時に箱を折り畳みこともできるので、箱の体積を減らし、空間を節約する。収納にも便利である。
【考案の概要】
【考案が解決しようとする課題】
【０００３】
本考案の主要の目的は、一種の構造が優れ、使用が便利である収納箱を提供することである。使用の際は収納箱を展開することができ、使わない時には、板のように折り畳んで、空間を節約する。
【０００４】
上述の目的を達成するため、本考案は以下の技術を使っている。一種収納箱を提供し、それは、底板と底板の辺縁部にある側板で組成され、その側板は二つの等しいサイズの長側板と二つの等しいサイズの短側板を含む。その特徴は、側板の頂部に枠組みが設けられ、長側板が回動可能な長側板Ｉと長側板ＩＩを含む。回動可能な長側板Ｉと長側板ＩＩは折り畳まれるように接合させる。長側板Ｉの上側は枠組みと回動できるように接合させ、長側板ＩＩの下側は底板と回動できるように接合させる。上記の短側板の上側は枠組みと回動できるように接合させ、短側板の下側と底板の間に尾錠構造Ｉがあって、短側板を回動しないように制限する。
更に、上述の長側板に窓構造Ｉが設けられ、この窓構造Ｉは、長側板Ｉにある窓Ｉと回転できるように長側板Ｉに接合している活動板Ｉの二つの部品で組成され、活動板Ｉを利用して窓Ｉの開閉を実現する、活動板Ｉと長側板Ｉの間に活動板を長側板Ｉに固定するロック装置が設けられる。
更に、上述ロック装置が活動板Ｉにあるロック部と長側板Ｉにあり、かつロック部を定位する限定溝を含む、活動板Ｉにロック部を取り付けるための取り付け溝が設けられ、ロック部はこの取付け溝で水平に滑ることができ、ロック部の頂部に限定溝に対応する限定塊がある。また限定溝に離脱口があるので、その限定塊が活動板と一緒に限定溝で水平移動するとその離脱口から限定溝を離れる。
更に、上述の取り付け溝とロック部の間にロック部を水平移動の限定位置に定位する定位構造が設けられる。上述の定位構造がロック部にある定位突起部と取り付け溝の壁にある、かつ定位突起部に対応する定位穴を含む。定位する時に定位突起部が定位穴に押し込まれる。定位穴がロック部を水平移動の左側の限定位置に定位する定位穴Ｉとロック部を水平移動の右側の限定位置に定位する定位穴ＩＩ、定位穴Ｉと定位穴ＩＩの間の取付け溝の内壁に定位突起部をガイドするガイド溝が設けられる。
更に、上述活動板Ｉとロック部の間にロック部を水平移動することをガイドする、並びにロック部を水平移動させる左右限定位置を限定する補助構造が設けられ、上述補助構造が活動板Ｉにあるガイド溝とロック部にあって、ガイド溝と対応して、ガイド溝で水平移動するガイド突起部を含む。ロック部を左側の限定位置までに移動すると、ガイド突起部がガイド溝の左側に押さえられる。ロック部を右側の限定位置までに移動すると、ガイド突起部がガイド溝の右側に押さえられる。
更に、上述の活動板Ｉに弾性限位装置Ｉが、長側板Ｉに限位構造Ｉが設けられ、この限位構造Ｉは弾性限位装置Ｉと合致して活動板Ｉを長側板Ｉに固定し、上述の弾性限位装置Ｉが活動板Ｉの側面にある活動塊Ｉを含み、活動板Ｉに活動塊Ｉを取り付ける滑り溝Ｉがあり、活動塊Ｉを滑り溝Ｉに上下移動し、活動板Ｉの先端に限位塊Ｉがある、限位塊Ｉを滑り溝Ｉの前側を通じて長側板Ｉにある限位構造Ｉと合致して押える。活動板Ｉの下側と滑り溝Ｉの下側の間に活動板Ｉを上向きに押える弾性部品Ｉがある。上述の限位構造Ｉは長側板Ｉにあり、かつ限位塊Ｉと対応する限位溝Ｉを含む。限位溝Ｉの下側に欠け口Ｉがある、限位塊Ｉが活動板Ｉと一緒に上下移動する時に、限位塊Ｉが限位溝Ｉで滑って、欠け口Ｉから限位溝Ｉの限位を離れる。限位溝Ｉの外表面と欠け口Ｉの上側面の間にガイド面Ｉがある。上述の活動板Ｉと滑り溝Ｉの間に活動板Ｉの水平移動を制限する制限構造Ｉが設けられ、この制限構造Ｉは、活動板Ｉの裏面にある尾錠Ｉ、滑り溝Ｉの底面にある押え溝Ｉ、活動板Ｉの後端部にあるリブＩ、滑り溝Ｉの後端部にあるリブＩＩ、この四つの部品で組成され、尾錠Ｉが押さえ溝Ｉで上下移動することが可能、リブＩがリブＩＩと滑り溝１の底面の間に挿入させて、かつ上下移動も可能である。
更に、短側板に窓構造ＩＩが設けられ、上述窓構造ＩＩが短側板にある窓ＩＩ、また回動できるように短側板と接合する活動板ＩＩを含む。活動板ＩＩを利用して窓の開閉を実現する。上述活動板ＩＩに弾性限位装置ＩＩが設けられ、短側板ＩＩに限位構造ＩＩが設けられ、この限位構造ＩＩは弾性限位装置ＩＩと合致して活動板ＩＩを短側板に固定する。上述弾性限位装置ＩＩは活動板ＩＩの側にある活動塊ＩＩを含む、活動板ＩＩに活動塊ＩＩを取り付けるための滑り溝ＩＩがある、活動塊ＩＩは滑り溝ＩＩに上下移動する。活動板ＩＩの先端に限定塊ＩＩがある、限定塊ＩＩは滑り溝ＩＩの先端を通じて短側板にある限位構造ＩＩと合致して押えられる。活動塊ＩＩの下側と滑り溝ＩＩの下側の間に活動板ＩＩを上向きに押える弾性部品ＩＩがあり、上述の限位構造ＩＩが短側板にあり、かつ限位塊ＩＩと対応する限位溝ＩＩを含む。限位溝ＩＩの下側に欠け口ＩＩがあり、限位塊ＩＩを活動板ＩＩと一緒に上下移動する時に、限位塊ＩＩが限位溝ＩＩで滑って、欠け口ＩＩから限位溝ＩＩの限位を離れる。限位溝ＩＩの外表面と欠け口ＩＩの上側の間にガイド面ＩＩがある、上述の活動板ＩＩと滑り溝ＩＩの間に活動板ＩＩの水平移動を制限する制限構造ＩＩが設けられ、この制限構造ＩＩは、活動板ＩＩの裏面にある尾錠ＩＩ、滑り溝ＩＩの底面にある押え溝ＩＩ、活動塊ＩＩの後ろ側にあるリブＩＩＩ、滑り溝Ｉの後ろ側にあるリブＩＶ、この四つの部品で組成され、尾錠ＩＩを押さえ溝ＩＩで上下移動することが可能、リブＩＩＩがリブＩＶと滑り溝ＩＩの底面の間に挿入させて、かつ上下移動も可能である。
更に、上述の尾錠構造Ｉは、短側板の下側にある貫通孔Ｉ、底板にあるかつ貫通孔Ｉと対応する尾錠ＩＩ、この二つの部品で組成される。尾錠ＩＩが貫通孔Ｉを通じて短側板の内側に押えられ、そして短側板の下側を固定する。
また、上述の収納箱の短側板は次のような構造でも接合される、上述の短側板の下側と底板の間には回動できるように接合させ、短側板の上側と枠組みの間に尾錠構造ＩＩが設けられて、短側板を回動しないように制限する。
更に、上述の尾錠構造ＩＩは、短側板の下側にある貫通孔ＩＩ、底板にあるかつ貫通孔ＩＩと対応する尾錠ＩＩＩ、この二つの部品で組成され、尾錠ＩＩＩが貫通孔Ｉを通じて短側板の内側に押えられ、そして、短側板の上側を固定する。
【考案の効果】
【０００５】
上述の技術方案を採用すると、本考案は以下のようなメリットがある。収納箱を使用の際は収納箱を展開することができ、使わない時には、収納箱が折り畳まれる、そして、空間を節約して空間の利用率を上昇させ、また、収納箱の本体に窓が設けられて、物のチェックまたは取り出しが便利になる。
【図面の簡単な説明】
【０００６】
図面で本考案を更に説明する。
【図１】本考案の実施例の立体図である。
【図２】長側板の正面の表示図である。
【図３】ロック装置の断面図である。
【図４】図の２の上で弾性限位装置Ｉを添加した後の構造表示図である。
【図５】活動板を取り除いた後に窓Ｉの表示図である。
【図６】短側板の正面の表示図である。
【図７】短側板の裏面の表示図である。
【図８】図４のＡ−Ａ断面図である。
【図９】図５のＢ方向の補助図である。
【図１０】図５の押え溝ＩのＣ方向の補助図である。
【図１１】押え溝Ｉの別の構造の表示図である。
【図１２】図６のＤ−Ｄ断面図である。
【図１３】押え溝ＩＩの構造の表示図である。
【図１４】押え溝ＩＩの構造の別の表示図である。
【図１５】図１の実施例の折り畳みのステップの表示図である。
【図１６】図１の実施例の折り畳んだ後の構造の表示図である。
【考案を実施するための形態】
【０００７】
図１〜図５および図８〜図１０のように、本考案の実施例の構造表示図である、一種折り畳み式収納箱を提供し、それは、底板１と底板の辺縁にある側板２とで組成され、並びに側板の頂部にある枠組み３がある。その側板は二つの等しいサイズの長側板２１と二つの等しいサイズの短側板２２を含む。長側板の上側は枠組みと回動できるように接合させ、長側板の下側は底板と回動できるように接合させ、並びに長側板に折り畳み機構を設けるので、長側板が折り畳まれる。上述の短側板の一端は底板と回動できるように接合させ、短側板の別の一端は制限しない。上述の折り畳み機構は回動できるように上下接合させる長側板Ｉ２１１と長側板Ｉ２１２を含む、長側板Ｉの上側は枠組みと回動できるように接合させ、長側板ＩＩの下側は底板と回動できるように接合させる。
長側板に窓構造Ｉが設けられ、この窓構造Ｉが窓Ｉ４１と活動板Ｉで組成され、活動板Ｉが長側板Ｉに回動できるように接合させる、活動板Ｉを利用して窓Ｉの開閉を実現する、活動板と長側板の間に活動板を長側板に固定するロック装置が設けられ、このロック装置が活動板Ｉにあるロック部４３と長側板Ｉにある、かつロック部を定位する限定溝４４を含む、活動板Ｉにロック部を取り付けるために取り付け溝４５が設けられ、ロック部はこの取付け溝で水平に滑ることができ、ロック部の頂部に限定溝に対応する限定塊４６がある、また限定溝に離脱口があるので、その限定塊が活動板と一緒に限定溝で水平移動するとその離脱口から限定溝を離れる。
取り付け溝とロック部の間にロック部を水平移動の限定位置に定位する定位構造が設けられ、上述の定位構造がロック装置にある定位突起部４８と取り付け溝の壁にある、かつ定位突起部に対応する定位穴４９を含む。定位する時に定位突起部が定位穴に押し込まれる。定位穴がロック部を水平移動の左側の限定位置に定位させる定位穴Ｉ４８１とロック部を水平移動の右側の限定位置に定位させる定位穴ＩＩ４８２、定位穴Ｉと定位穴ＩＩの間の取付け溝の内壁に定位突起部をガイドするガイド溝４５１が設けられる。
活動板Ｉとロック部の間にロック部を水平移動することをガイドする、並びにロック部を水平移動する左右限定位置を限定する補助構造が設けられ、上述補助構造が活動板Ｉにあるガイド溝４２１とロック部にあって、ガイド溝と対応して、ガイド溝で水平移動するガイド突起部４２２を含む。ロック部を左側の限定位置までに移動すると、ガイド突起部がガイド溝の左側に押さえられる。ロック部を右側の限定位置までに移動すると、ガイド突起部がガイド溝の右側に押さえられる。
活動板Ｉに弾性限位装置Ｉが設けられ、長側板Ｉに限位構造Ｉが設けられ、この限位構造Ｉは弾性限位装置Ｉと合致して活動板Ｉを長側Ｉに固定する、上述の弾性限位装置Ｉが活動板Ｉの側面にある活動塊Ｉ５１を含む、活動板Ｉに活動塊Ｉを取り付ける滑り溝Ｉ５２がある、活動塊Ｉを滑り溝Ｉに上下移動する、活動板Ｉの先端に限位塊Ｉ５３があり、限位塊Ｉを滑り溝Ｉの前側を通じて長側板Ｉにある限位構造Ｉと合致して押さえる。活動板Ｉの下側と滑り溝Ｉの下側の間に活動板Ｉを上向きに押える弾性部品Ｉ５４がある。上述の限位構造Ｉは長側板Ｉにある、かつ限位塊Ｉと対応する限位溝Ｉ６１を含む。限位溝Ｉの下側に欠け口Ｉ６２がある、限位塊Ｉが活動板Ｉと一緒に上下移動する時に、限位塊Ｉが限位溝Ｉで滑って、欠け口Ｉから限位溝Ｉの限位を離れる。限位溝Ｉの外表面６１１と欠け口Ｉの上側面６２１の間にガイド面Ｉ６３がある、上述の活動板Ｉと滑り溝Ｉの間に活動板Ｉの水平移動を制限する制限構造Ｉ７が設けられ、この制限構造Ｉは、活動板Ｉの裏面にある尾錠Ｉ７１、滑り溝Ｉの底面にある押え溝Ｉ７２、活動板Ｉの後端部にあるリブＩ７３、滑り溝Ｉの後端部にあるリブＩＩ７４、この四つの部品で組成され、尾錠Ｉが押さえ溝Ｉで上下移動することが可能、リブＩがリブＩＩと滑り溝１の底面の間に挿入させて、かつ上下移動も可能である。図１１のように、ガイド面Ｉは斜面または曲面に設けられる。活動塊Ｉを押えると、限位塊Ｉが限位溝Ｉに押えられて活動板Ｉを固定する、そうすると、活動塊Ｉを動かす必要がない。
短側板に窓構造ＩＩが設けられ、上述窓構造ＩＩが短側板にある窓ＩＩ８１、また回動できるように短側板と接合する活動板ＩＩ８２を含む。活動板ＩＩを利用して窓の開閉を実現する。上述活動板ＩＩに弾性限位装置ＩＩが設けられ、短側板ＩＩに限位構造ＩＩが設けられ、この限位構造は弾性限位装置ＩＩと合致して活動板ＩＩを短側板に固定する。上述弾性限位装置ＩＩは活動板ＩＩの側にある活動塊ＩＩ８３を含む、活動板ＩＩに活動塊ＩＩを取り付けるための滑り溝ＩＩ８４がある、活動塊ＩＩは滑り溝ＩＩに上下移動する。活動板ＩＩの先端に限定塊ＩＩ８５がある、限定塊ＩＩは滑り溝ＩＩの先端を通じて短側板にある限位構造ＩＩと合致して押えられる。活動塊ＩＩの下側と滑り溝ＩＩの下側の間に活動板ＩＩを上向きに押える弾性部品ＩＩ８６がある、上述の限位構造ＩＩが短側板にある、かつ限位塊ＩＩと対応する限位溝ＩＩ８７を含む。限位溝ＩＩの下側に欠け口ＩＩ８８がある、限位塊ＩＩを活動板ＩＩと一緒に上下移動する時に、限位塊ＩＩが限位溝Ｉで滑って、欠け口ＩＩから限位溝ＩＩの限位を離れる。限位溝ＩＩの外表面８７１と欠け口ＩＩ８８１の上側の間にガイド面ＩＩ８９がある、上述の活動板ＩＩと滑り溝ＩＩの間に活動板ＩＩの水平移動を制限する制限構造ＩＩが設けられ、この制限構造ＩＩは、活動板ＩＩの裏面にある尾錠ＩＩ８３１、滑り溝ＩＩの底面にある押え溝ＩＩ８４１、活動塊ＩＩの後ろ側にあるリブＩＩＩ８３２、滑り溝Ｉの後ろ側にあるリブＩＶ８４２、この四つの部品で組成され、尾錠ＩＩを押さえ溝ＩＩで上下移動することが可能、リブＩＩＩがリブＩＶと滑り溝ＩＩの底面の間に挿入させて、かつ上下移動することも可能である。  図１４のように、ガイド面ＩＩが斜面また曲面に設けられる、活動塊ＩＩを押えたら、限位塊ＩＩが限位溝ＩＩに押えられて活動板ＩＩを固定する。すると、活動塊ＩＩを動かす必要がない。
上述の実施例のように、短側板の上側と枠組みの間には回動できるように接合させ、短側板の下側と底板の間には尾錠構造Ｉが設けられるため、短側板を回転しないように制御する。上述の尾錠構造Ｉは、短側板の下側にある貫通孔Ｉ２２１、底板にあるかつ貫通孔Ｉと対応する尾錠ＩＩ２２２、この二つの部品で組成される。尾錠ＩＩが貫通孔Ｉを通じて短側板の内側に押えられる、そして、短側板の下側を固定する。
この構造は図１５の様なステップで折り畳む。先ずａ１のように、二つの短側板を尾錠ＩＩの制御から離れて、上向きと内側に向いて回転する。次はａ２のように、長側板Ｉと長側板ＩＩは枠組みの重力のために内側に向いて回転し、最後は図１６のように、収納箱は板のように折り畳まれる。
上述の収納箱の短側板は次の構造で接合させでもよく、上述の短側板の下側と底板の間に回動できるように接合させ、短側板の上側と枠組みの間に尾錠構造ＩＩが設けられ、短側板を回動しないように制限する。上述の尾錠構造ＩＩは、短側板の下側にある貫通孔ＩＩと、底板にあり、かつ貫通孔ＩＩと対応する尾錠ＩＩＩの二つの部品で組成され、尾錠ＩＩＩが貫通孔Ｉを通じて短側板の内側に押えられる。そして、短側板の上側を固定する。この技術方案で折り畳むと、先ずは短側板を下向きと内側に向いて折り畳み、次に長側板Ｉと長側板ＩＩを折り畳む。
このような機構に対して、底板は必ず厚くし、そして長側板ＩＩと底板の接合点の位置は折り畳んだ後の短側板の外側の表面より高くする。すると、長側板ＩＩと短側板の合致には干渉しない。
弾性部品は弾性材料で作ったものでもよく、またスプリングでもよい。また、長側板Ｉと長側板ＩＩに窓Ｉが設けられ、活動板が折り畳まれるように設けられ、図４のように、大きい窓があるので、大きい物の取り出しが便利である。また窓Ｉと窓ＩＩの開く方にも変更できる。窓ＩＩを例にすると、上述の実施例は、活動板ＩＩの下側部と窓ＩＩの下縁部の間には回動できるように接合させて、弾性限位装置ＩＩは活動板ＩＩの上側に設けられ、下から上に向いて窓を開く方、即ち、活動板ＩＩの上側は窓ＩＩの頂縁の短側板に回動できるように接合させ、弾性限位装置ＩＩが活動板ＩＩの下側に設けられ、このような機構は、活動板ＩＩを開く時に、この開く状態を保つ力が必要なので、迷惑をかける。また、この上下で窓を開く方の以外に、活動板ＩＩの左端または右端を窓ＩＩの左側または右側の短側板に回動できるように接合して、弾性限位装置ＩＩが活動板ＩＩの右端または左端に設けられ、これは左右で窓を開く方。窓Ｉの構造は窓ＩＩの構造が似ているので、ロック部と弾性限位装置Ｉを取付ける所は必要であれば変更できる。
本考案は機構が優れ、確実に使用にも便利である。使用の際は収納箱を展開して、箱のように物品を貯蔵できる。使わない時に収納箱を板のように折り畳んで無駄な空間をつかわない。更に、箱の本体に窓が設けられて、窓を開けるならば物のチェックまたは取り出しことが便利にできる。窓を閉めると活動板が固定され、箱の中の物は落ちない。
上述の優先的な実施例以外に、本考案は他の方法でも実施可能である。技術者は本考案によって色々な変更案を考えられる。本考案の特徴に類似している場合、本実用新案の権利の請求の範囲であると考えられる。
【図１】
0003163745.tif 000003
【図２】
0003163745.tif 000004
【図３】
0003163745.tif 000005
【図４】
0003163745.tif 000006
【図５】
0003163745.tif 000007
【図６】
0003163745.tif 000008
【図７】
0003163745.tif 000009
【図８】
0003163745.tif 000010
【図９】
0003163745.tif 000011
【図１０】
0003163745.tif 000012
【図１１】
0003163745.tif 000013
【図１２】
0003163745.tif 000014
【図１３】
0003163745.tif 000015
【図１４】
0003163745.tif 000016
【図１５】
0003163745.tif 000017
【図１６】
0003163745.tif 000018